(57)【要約】【課題】  要介助者の姿勢を長時間保持し、要介助者に対するジョクソウの発生を防止し、介助者の負担を軽減する。【解決手段】  本発明は、座面部１４及び背面部１５を有するシート１２と、シート１２を保持する車体フレーム１３とを備えた介助用車椅子１１であって、座面部１４は着座時の要介助者２０の臀部２１から腿部２２が適合する立体形状を有し、背面部は着座時の要介助者の肩部から臀部２１が適合する立体形状を有しており、シート１２は着座した要介助者２０の上下左右の動きを拘束可能なように構成されていることを特徴とする。【選択図】  図１
2005160758.tif 000002
【特許請求の範囲】
【請求項１】
座面部及び背面部を有するシートと、該シートを保持する車体フレームとを備えた介助用車椅子であって、
前記座面部は着座時の要介助者の臀部から腿部が適合する立体形状を有し、前記背面部は着座時の要介助者の肩部から臀部が適合する立体形状を有しており、前記シートは着座した要介助者の上下左右の動きを拘束可能なように構成されていることを特徴とする介助用車椅子。
【請求項２】
前記シートには、着座時の要介助者の肩部から腿部の側部が適合する立体形状を有する側方支持部が起倒可能に設けられている請求項１に記載の介助用車椅子。
【請求項３】
前記シートには、前記座面部及び前記背面部を有する内側シート部と、前記側方支持部を有する外側シート部とが分離可能に設けられている請求項２に記載の介助用車椅子。
【請求項４】
前記シートの表面には、滑り止め加工が施されている請求項１〜３のいずれか１の請求項に記載の介助用車椅子。
【請求項５】
前記車体フレームに通気手段が設けられ、該通気手段により前記シートの湿気を除去可能なように構成されている請求項１〜４のいずれか１の請求項に記載の介助用車椅子。
【請求項６】
前記通気手段は、前記シートの裏側の前記車体フレームに設けられた通気孔である請求項５に記載の介助用車椅子。
【請求項７】
前記通気手段は、前記シートの裏側の前記車体フレームに設けられた通気性を有するクッション材である請求項５又は６に記載の介助用車椅子。
【請求項８】
前記通気手段は、前記シートの裏側の前記車体フレームに設けられた通気管と、該通気管に接続されたファンとを備えている請求項５に記載の介助用車椅子。
【発明の詳細な説明】
【技術分野】
【０００１】
本発明は車椅子に関し、特に、介助を必要とする要介助者のための介助用車椅子に関する。
【背景技術】
【０００２】
従来、車椅子には、フレームに薄い布地のシートを張設した布地シートタイプの車椅子と、布地より厚く、シート自体で自立性を有するバケットシートを備えたバケットシートタイプの車椅子とが知られている。このうち、布地シートタイプの車椅子は、折り畳み式のものが多く、未使用時の収納性や車両での運搬性には優れているが、座り心地が悪く、長時間の使用には不向きである。そのため、介助を必要とする要介助者が長時間使用する場合には、バケットシートタイプの車椅子が使用されることが多い。
【０００３】
図９及び図１０は、従来のバケットシートタイプの車椅子における、シート１を示している。このシート１は、略水平に設けられた平坦形状の座面部２と、略垂直に設けられた平坦形状の背面部３とから構成されており、座面部２に要介助者４の腿部５や臀部６等が接触し、背面部３に肩部７や仙骨部８等が接触するようになっている（例えば、特許文献１参照）。
【０００４】
【特許文献１】特開２００２−２５３６１７号公報
【発明の開示】
【発明が解決しようとする課題】
【０００５】
しかしながら、上記した従来のバケットシートタイプの車椅子では、着座時の荷重が臀部６や仙骨部８に集中し、要介助者４が長時間着座した場合には、前方にズレ落ち、臀部６や仙骨部８にジョクソウが発生するおそれがあった。また、要介助者４の横方向の動きに対しては、シート１の背面部３との接触圧により支持されているだけであるため、姿勢を保持する筋力の低下した要介助者４が横方向に倒れるおそれがあり、介助者に過大な負担が掛かるといった問題もあった。
【０００６】
本発明は、上記した課題を解決すべくなされたものであり、要介助者４の姿勢を長時間保持し、要介助者４に対するジョクソウの発生を防止し、介助者の負担を軽減することのできる介助用車椅子を提供するものである。
【課題を解決するための手段】
【０００７】
本発明は、座面部及び背面部を有するシートと、該シートを保持する車体フレームとを備えた介助用車椅子であって、前記座面部は着座時の要介助者の臀部から腿部が適合する立体形状を有し、前記背面部は着座時の要介助者の肩部から臀部が適合する立体形状を有しており、前記シートは着座した要介助者の上下左右の動きを拘束可能なように構成されていることを特徴とする。
【０００８】
好ましくは、前記シートには、着座時の要介助者の肩部から腿部の側部が適合する立体形状を有する側方支持部が起倒可能に設けられている。
【０００９】
また、前記シートには、前記座面部及び前記背面部を有する内側シート部と、前記側方支持部を有する外側シート部とが分離可能に設けられていてもよく、さらに、前記シートの表面には、滑り止め加工が施されていてもよい。
【００１０】
さらにまた、前記車体フレームに通気手段が設けられ、該通気手段により前記シートの湿気を除去可能なように構成されていてもよく、また、前記通気手段は、前記シートの裏側の前記車体フレームに設けられた通気孔であてもよく、さらに、前記通気手段は、前記シートの裏側の前記車体フレームに設けられた通気性を有するクッション材であってもよく、さらにまた、前記通気手段は、前記シートの裏側の前記車体フレームに設けられた通気管と、該通気管に接続されたファンとを備えていてもよい。
【発明の効果】
【００１１】
本発明によれば、シートと要介助者との接触面積を増加させることができるため、要介助者がシートに長時間着座したとしても、要介助者の荷重はシート全体に分散し、要介助者の姿勢がズレたりすることはない。したがって、要介助者の臀部や仙骨部等にジョクソウが発生するおそれがなく、また、介助者の負担を軽減させることもできる等、種々の優れた効果を得ることができる。
【発明を実施するための最良の形態】
【００１２】
以下、図面を参照しつつ、本発明の実施の形態について説明する。ここで、図１は、本発明の実施の形態に係る介助用車椅子の斜視図、図２はその正面図、図３はその側面図、図４はそのバケットシートに要介助者が着座した状態を示す側面図、図５はその正面図を示している。
【００１３】
この介助用車椅子１１は、バケットシート１２と、バケットシート１２を保持する車体フレーム１３とを備えており、バケットシート１２は車体フレーム１３に対して着脱自在に設けられている。
【００１４】
バケットシート１２は、座面部１４と背面部１５とを有する内側シート部１６と、側方支持部１７と頭支持部１８とを有する外側シート部１９とから構成され、内側シート部１６と外側シート部１９は分離可能に形成されている。そして、座面部１４は着座時の要介助者２０の臀部２１から腿部２２が適合する立体形状を有し、その前方部分２３は後方部分２４より僅かに高くなるように隆起しており、着座した要介助者２０が前方にずり落ちないようになっている。また、背面部１５は着座時の要介助者２０の肩部２５から臀部２１が適合する立体形状を有しており、要介助者２０の上下左右の動きを拘束可能となっている。さらに、内側シート部１６の表面には摩擦係数の高い素材が使用され、滑り止め加工が施されており、好ましくは、着座時の要介助者２０が一方向にのみ滑動可能なズレ防止素材、例えば、一方向にのみ動きを許容するように毛を傾斜させた素材や要介助者２０の衣服と相俟ってズレ防止を達成するメンファスナー等が設けられている。このように、内側シート部１６は、着座した要介助者２０の動きを拘束可能且つ要介助者２０のズレを防止可能なように構成されているため、要介助者２０の姿勢を長時間保持することができる。さらに、内側シート部１６の表面に前記ズレ防止素材が設けられた場合には、着座時に要介助者２０の姿勢を長時間保持することができるだけでなく、ズレ防止素材の滑動可能な方向に沿って要介助者を移動させることができるため、介助用車椅子１１に対する要介助者２０の乗降作業を容易に行うことができ、介助者の負担を軽減することができる。
【００１５】
一方、外側シート部１９の側方支持部１７は起倒可能に設けられており、起立時に要介助者２０の肩部２５から腿部２２の側部が適合するような立体形状を有し、要介助者２０の左右方向への倒れを防止できるようになっている。したがって、例えば、要介助者２０の介助用車椅子１１への乗降時等、使用状況に応じて、側方支持部１７を起立させたり、又は倒したり、或いは、例えば、要介助者２０の姿勢保持力の程度等、要介助者２０の身体能力に応じて、その側方支持部１７を起立させたり、又は倒したりすることができるため、介助者の負担を大幅に軽減することができる。また、頭支持部１８は着座時の要介助者２０の頭部２７に対応する位置に設けられ、要介助者２０が左右に振り向くことができるようにほぼ平坦状に形成されている。
【００１６】
車体フレーム１３は、バケットシート１２を保持可能なようにバケットシート１２の裏側に設けられたシート部２８と、シート部２８から前方に延出する左右一対のアームレスト２９と、シート部２８の前部下方から前方に張り出す左右一対のフットレスト３０と、シート部２８の後部上方から後方に延出する左右一対のグリップ３１とを備えており、車体フレーム１３の下部には、小径の前輪３２と大径の後輪３３がそれぞれ左右一対で設けられている。
【００１７】
また、好ましくは、車体フレーム１３には、図６〜図８に示されているように、バケットシート１２の湿気を除去可能なように通気手段が設けられている。図６は車体フレーム１３のシート部２８に多数の通気孔３４を設けた例を示しており、バケットシート１２に吸収された要介助者２０の汗等の水分が通気孔３４を介して自然蒸発するようになっている。また、図７は車体フレーム１３のシート部２８に通気性を有するクッション材３５を内張りした例を示しており、バケットシート１２に吸収された要介助者２０の汗等の水分がクッション材３５を介して自然蒸発するようになっている。この場合、クッション材３５の裏側のシート部２８にさらに、図６の場合と同様に、通気孔を設けてもよく、その場合には、より一層通気効果を高めることができる。さらにまた、図８はシート部２８内に通気管３６を布設すると共にシート部２８の裏面側に通気管３６と接続するファン３７を設置した例を示しており、ファン３７により強制的にバケットシート１２内の湿気を除去できるようになっている。
【００１８】
上記したように、本実施の形態に係る介助用車椅子１１によれば、要介助者２０がバケットシート１２に長時間着座したとしても、要介助者２０の荷重はバケットシート１２全体に分散し、臀部２１や仙骨部等に集中することがなく、また、要介助者１０の姿勢がズレたりすることがない。さらに、車体フレーム１３に通気手段が設けられた場合には、要介助者２０の汗等によりバケットシート１２が湿気を含んだとしても、その湿気を速やかに除去することができる。したがって、要介助者２０の臀部２１や仙骨部等にジョクソウが発生するおそれがなくなる。また、姿勢が保持されることにより要介助者２０の身体機能が向上し、呼吸がよくできるようになったり、食事が取れるようになる。さらに、バケットシート１２と要介助者２０との設置面積が増加することにより、要介助者の心理的安堵感が高まり、要介助者２０が精神的に安定し、イライラしたり、暴れたりすることを抑制できるようになる。
【００１９】
なお、バケットシート１２のうち、特に、内側シート部１６は使用者の体型に合わせて特注で製作するようにしてもよく、その場合には、バケットシート１２が尚一層、要介助者２０の体型に適合するため、上記した効果をより高めることができる。
【００２０】
また、バケットシート１２は、予め特定のサイズ、例えば、大・中・小のサイズを用意しておき、使用者の体型に合わせて適宜選択できるようにしておくこともできる。
【００２１】
さらに、上記した実施の形態では、バケットシート１２の車体フレーム１３に対する装着手段について特に言及していないが、紐、又はマジックテープ等各種装着手段を使用することができる。また、バケットシート１２は車体フレーム１３に一体に固定されていてもよく、その場合には、介助用車椅子１１に移乗させる時に、バケットシート１２を装着し忘れることがなく、介助者の負担をさらに軽減することができる。
【００２２】
さらにまた、上記実施の形態におけるバケットシート１２は、リクライニング式の車椅子に適用してもよく、介助用車椅子以外の用途の車椅子にも適用可能である。
【図面の簡単な説明】
【００２３】
【図１】本発明の実施の形態に係る介助用車椅子を示す斜視図である。
【図２】本発明の実施の形態に係る介助用車椅子を示す正面図である。
【図３】本発明の実施の形態に係る介助用車椅子を示す側面図である。
【図４】本発明の実施の形態におけるバケットシートに要介助者が着座した状態を示す側面図である。
【図５】本発明の実施の形態におけるバケットシートに要介助者が着座した状態を示す正面図である。
【図６】本発明の実施の形態における通気手段の例を示す側面図である。
【図７】本発明の実施の形態における通気手段の別の例を示す側面図である。
【図８】本発明の実施の形態における通気手段のさらに別の例を示す側面図である。
【図９】従来例を示す側面図である。
【図１０】従来例を示す正面図である。
【符号の説明】
【００２４】
１１          介助用車椅子
１２          バケットシート
１３          車体フレーム
１４          座面部
１５          背面部
１６          内側シート部
１７          側方支持部
１９          外側シート部
２０          要介助者
２１          臀部
２２          腿部
２５          肩部
３４          通気孔
３５          クッション材
３６          通気管
３７          ファン
【図４】
2005160758.tif 000003
【図５】
2005160758.tif 000004
【図６】
2005160758.tif 000005
【図７】
2005160758.tif 000006
【図８】
2005160758.tif 000007
【図９】
2005160758.tif 000008
【図１０】
2005160758.tif 000009
【図１】
2005160758.tif 000010
【図２】
2005160758.tif 000011
【図３】
2005160758.tif 000012